(57)【特許請求の範囲】
【請求項１】
トップカバーに回転支点を設け、当該トップカバーを開閉可能な自動取引装置において、
媒体の落下を防止する落下防止部材を前記回転支点近傍のトップカバーに設けるようにしたことを特徴とする自動取引装置。
【請求項２】
前記落下防止部材は、側断面が所定の挟角を形成するＬ字形状であって、
当該挟角は、トップカバーが全開になったときに立ち上り面の角度が水平よりも上向きになるようにしたことを請求項１記載の自動取引装置。
【請求項３】
トップカバーに回転支点を設け、当該トップカバーを開閉可能な自動取引装置において、
媒体の落下を防止する落下防止部材を前記回転支点近傍の前記装置の筐体に設けるようにしたことを特徴とする自動取引装置。
【請求項４】
前記落下防止部材は、前記筐体の上部を突出させて設けられることを特徴とする請求項３記載の自動取引装置。
【発明の詳細な説明】
【技術分野】
【０００１】
本発明は、トップカバーを開いて保守を行う現金処理機等の自動取引装置において、トップカバー上に置き忘れた物品等が設置床等に落下することを防止するトップカバー構造に関するものである。
【背景技術】
【０００２】
従来の現金処理機などの自動取引装置では、図４（ａ）に示したように、装置内を保守するためにトップカバー５に回転支点７を設けて装置本体６に固定し、図４（ｂ）の矢印Ａのように開くことができる構造となっている（例えば、特許文献１参照）。
【先行技術文献】
【特許文献】
【０００３】
【特許文献１】特開平６−２７２４５３号公報
【発明の概要】
【発明が解決しようとする課題】
【０００４】
しかしながら、上記従来の自動取引装置では、図４に示したように、ジャム除去などの保守を行うときにトップカバー５を矢印Ａのように開くと、トップカバー５上に置き忘れたカードや硬貨等の置忘れ媒体４が、トップカバー５上を滑り、背面壁８ｂと装置間の隙間に落下してしまい、硬貨等はさらに散らばってしまい、隙間に落下した置忘れ媒体４を拾うためには、長い棒状のような物を使って拾い上げるか、設置された自動取引装置１の設置を解除して移動させて拾っていた。
【課題を解決するための手段】
【０００５】
本発明は、前述の課題を解決するために次の構成を採用する。すなわち、トップカバーの回転支点を装置本体に固定し当該トップカバーを開閉可能な自動取引装置において、落下防止部材を前記回転支点近傍のトップカバーに設けるようにした。
【０００６】
または、前述の課題を解決するために、トップカバーの回転支点を装置本体に固定し当該トップカバーを開閉可能な自動取引装置において、前記回転支点を、装置本体端面より前記回転支点と反対側の所定の位置で装置本体に固定し、前記装置本体端面側の筐体の上部を突出させて落下防止突起部を設けるようにした。
【発明の効果】
【０００７】
本発明の自動取引装置によれば、以上のように構成したので、簡易で安価な構成で、前記トップカバーを開いたときに置忘れ媒体が滑り落ちることを確実に防止することができる。
【図面の簡単な説明】
【０００８】
【図１】実施例１の自動取引装置の概観斜視図である。
【図２】実施例１の自動取引装置の構成および動作説明図である。
【図３】実施例２の自動取引装置の構成および動作説明図である。
【図４】従来の自動取引装置の構成および動作説明図である。
【発明を実施するための形態】
【０００９】
以下、本発明に係わる実施の形態例を、図面を用いて説明する。図面に共通する要素には同一の符号を付す。
【００１０】
なお、以下の説明では、金融機関等に設置され顧客等の操作により入出金等の取引を行う自動取引装置を例として説明するが、両替機などの現金処理機、乗車券等の発券を行う自動券売機、或いはコピー機などであってもよい。
【実施例１】
【００１１】
（構成）
図１は、実施例１の自動取引装置の構成を示した概観斜視図であり、図２は、実施例１の自動取引装置の構成を示した側面図である。
【００１２】
図１に示したように、実施例１の自動取引装置は、硬貨を入金或いは出金する硬貨入出金口１２と、紙幣を投入或いは出金する紙幣入出金口１１と、取引操作画面を表示するとともに所定の入力を行うタッチパネルとからなる操作部１４と、取引開始前の認証のためのカード等を挿入し排出するカード挿入排出口１６とをトップカバー５に備える。
【００１３】
さらに、実施例１の自動取引装置は、図２に示したように、トップカバー５に回転支点７を設けて装置本体６に固定してトップカバー５を開閉できるようにし、トップカバー５の回転支点７近傍の装置背面側に落下防止部材２が設けられた構造となっている。落下防止部材２は、図示していないがネジ止めや接着或いは溶着させることよりトップカバー５端部に取付けてもよいし、トップカバー５とともに成型するようにしてもよい。
【００１４】
なお、落下防止部材２は、側断面が所定の挟角を形成するＬ字形状であって、トップカバー５が全開になった場合でも立ち上り面の角度θが水平方向よりも上向きになるようになっている。当該角度θは、置忘れ媒体４の落下を確実に防止するためには６０度程度以上とするのが好ましい。また、落下防止部材２の左右両端から置忘れ媒体４が落下することをも防止するために、図示していないが、落下防止部材２の左右両端を蓋っておくとなおよい。
【００１５】
（動作）
以上の構成により実施例１の自動取引装置は、以下のように動作する。この動作を、前出図２を用いて以下詳細に説明する。
【００１６】
入出金取引等における硬貨や紙幣等の搬送において、ジャム等が発生すると、係員は、ジャム除去などの保守を行うためにトップカバー５を開放する。
【００１７】
このとき、それまでの取引において使用していたカードや硬貨等を操作者がトップカバー５の上に置き忘れたまま、トップカバー５を矢印Ａのように開くと、置忘れ媒体４がトップカバー５上を矢印Ｂのように滑り落ちる。
【００１８】
すると、落下し始めた置忘れ媒体４は、トップカバー５の背面側に備えた落下防止部材２にぶつかって保持され、それ以上落下することがない。
【００１９】
（実施例１の効果）
以上のように、実施例１の自動取引装置によれば、トップカバーの回転支点を装置本体に固定し当該トップカバーを開閉可能な自動取引装置において、落下防止部材を前記回転支点近傍のトップカバーに設けるようにしたので、簡易な構成で、前記トップカバーを開いたときに置忘れ媒体が滑り落ちることを確実に防止することができる。
【実施例２】
【００２０】
（構成）
図３は、実施例２の自動取引装置の構成を示す図である。同図に示したように、実施例２の自動取引装置では、実施例１の自動取引装置の落下防止部材２に替えて、装置本体６の背面筐体の上部を突出させて落下防止突起部１２を設けている。この場合も実施例１の落下防止部材２と同様、落下防止突起部１２の左右両端から置忘れ媒体４が落下することをも防止するために、図示していないが、落下防止突起部１２の左右両端を蓋うようにしておくとなおよい。
【００２１】
また、実施例２の自動取引装置では、トップカバー５の回転支点７を装置本体６の背面より前面側の所定の位置で装置本体６に固定し、トップカバー５を図３（ｂ）矢印Ａのように開くことができるようになっている。その他の構成は、実施例１の構成と同様であるので簡略化のためにその詳細な説明は省略する。
【００２２】
（動作）
以上の構成により、実施例２の自動取引装置１は以下のように動作する。この動作を前出図３を用いて以下詳細に説明する。
【００２３】
実施例１と同様、入出金取引等における紙幣等の搬送などにおいて、ジャム等が発生すると、係員は、ジャム除去などの保守を行うためにトップカバー５を開放する。
【００２４】
このとき、それまでの取引において使用していたカードや硬貨等を操作者がトップカバー５の上に置き忘れたまま、トップカバー５を矢印Ａのように開くと、置忘れ媒体４がトップカバー５上を矢印Ｂのように滑り落ちる。
【００２５】
すると、実施例２の自動取引装置では、落下し始めた置忘れ媒体４は、トップカバー５の背面側に備えた落下防止突起部１２にぶつかって止まり、それ以上落下することがない。
【００２６】
（実施例２の効果）
以上のように、実施例２の自動取引装置によれば、トップカバーの回転支点を装置本体に固定し当該トップカバーを開閉可能な自動取引装置において、前記回転支点を、装置背面より前面側の所定の位置で装置本体に固定し、前記装置背面側の筐体の上部を突出させて落下防止突起部を設けるようにしたので、部材を増やすことなく安価な構成で、実施例１の効果と同様、トップカバーを開いたときに置忘れ媒体が滑り落ちることを確実に防止することができる。
【００２７】
《その他の変形例》
以上の実施例の説明では、トップカバー５の回転支点７を装置本体６の背面側に備える例として説明したが、トップカバー５の回転支点７を左右いずれかの側面側に備えて左右方向にトップカバー５を開く場合であってもよいし、或いは、前面側にトップカバー５の回転支点７を備え前面側にトップカバー５を開く場合にも本発明を適用することもできる。
【００２８】
この場合、回転支点７側が壁となるように設置された場合では、壁との間に置忘れ媒体４が落下しないようにできるという前述の実施例の自動取引装置と同様の効果があり、壁がない方向に回転支点７を備える場合であっても、多数の硬貨等を置き忘れていた場合などではこれらが落下して散らばってしまうという問題を解決することができる。
【産業上の利用可能性】
【００２９】
以上述べたように、本発明は、トップカバーを開いて保守を行う自動取引装置などに広く用いることができる。
【符号の説明】
【００３０】
１    自動取引装置
２    落下防止部材
４    置忘れ媒体
５    トップカバー
６    装置本体
７    回転支点
８ａ  設置床
８ｂ  背面壁
１２  落下防止突起部
【図１】
0005566810.tif 000002
【図２】
0005566810.tif 000003
【図３】
0005566810.tif 000004
【図４】
0005566810.tif 000005